【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
先端が開放された管状の燃焼室の内壁面に、燃焼室内でガス旋回流が生じるように燃料ガスと支燃ガスを各々吹き込むための若しくは燃料ガスと支燃ガスの予混合ガスを吹き込むための開口を形成した燃焼バーナにおいて、発熱量が１０００ｋcal／Ｎｍ３以下のガスを燃料ガスとして用いる際に、燃焼室に吹き込まれる前の燃料ガスまたは／および燃焼室に吹き込まれた燃料ガスに水素を加える（但し、水素含有ガスとして加える場合を含む）とともに、燃焼室内に、ＣＯ、Ｈ２の１種以上を含むガスであって、燃焼ガスを希釈してガス組成またはガス組成とガス温度を調整する希釈ガスを供給することを特徴とする燃焼バーナによる低発熱量ガスの燃焼方法。
【請求項２】
先端が開放された管状の燃焼室の内壁面に、燃焼室内でガス旋回流が生じるように該内壁面のほぼ接線方向に燃料ガスと支燃ガスを各々吹き込むための若しくは燃料ガスと支燃ガスの予混合ガスを吹き込むための開口を形成した燃焼バーナにおいて、発熱量が１０００ｋcal／Ｎｍ３以下のガスを燃料ガスとして用いる際に、燃焼室に吹き込まれる前の燃料ガスまたは／および燃焼室に吹き込まれた燃料ガスに水素を加える（但し、水素含有ガスとして加える場合を含む）とともに、燃焼室内に、ＣＯ、Ｈ２の１種以上を含むガスであって、燃焼ガスを希釈してガス組成またはガス組成とガス温度を調整する希釈ガスを供給することを特徴とする燃焼バーナによる低発熱量ガスの燃焼方法。
【請求項３】
ＣＯを含有する燃料ガスに、断熱火炎温度が７５０℃以上となるように水素を加える（但し、水素含有ガスとして加える場合を含む）ことを特徴とする請求項１または２に記載の燃焼バーナによる低発熱量ガスの燃焼方法。
【請求項４】
燃焼室の内壁面に形成された開口を通じて燃焼室内に燃料ガスと支燃ガスを各々供給するためのガスノズル若しくは燃料ガスと支燃ガスの予混合ガスを供給するためのガスノズルが、バーナ軸方向で並列した複数のノズル管で構成された燃焼バーナを用いることを特徴とする請求項１〜３のいずれかに記載の燃焼バーナによる低発熱量ガスの燃焼方法。
【請求項５】
燃焼室の内壁面に、さらに、燃焼室内でガス旋回流が生じるようにガスを吹き込むための他の開口を形成した燃焼バーナを用い、前記開口から燃焼室内に水素を吹き込む（但し、水素含有ガスとして吹き込む場合を含む）ことを特徴とする請求項１〜４のいずれかに記載の燃焼バーナによる低発熱量ガスの燃焼方法。
【請求項６】
燃焼室の内壁面に、さらに、燃焼室内でガス旋回流が生じるように該内壁面のほぼ接線方向にガスを吹き込むための他の開口を形成した燃焼バーナを用い、前記開口から燃焼室内に水素を吹き込む（但し、水素含有ガスとして吹き込む場合を含む）ことを特徴とする請求項１〜４のいずれかに記載の燃焼バーナによる低発熱量ガスの燃焼方法。
【請求項７】
燃焼室の内壁面に形成された他の開口を通じて燃焼室内に水素を供給するためのガスノズルが、バーナ軸方向で並列した複数のノズル管で構成された燃焼バーナを用いることを特徴とする請求項５または６に記載の燃焼バーナによる低発熱量ガスの燃焼方法。
【請求項８】
燃焼室内のガス流のスワール数Ｓwを３〜１０とすることを特徴とする請求項１〜７のいずれかに記載の燃焼バーナによる低発熱量ガスの燃焼方法。
【請求項９】
燃焼室の後端側の内壁面に、燃焼室内でガス旋回流が生じるように燃料ガスと支燃ガスを各々吹き込むための開口が形成され、該開口よりも燃焼室先端寄りの位置であって且つ燃焼室長手方向の中央位置よりも燃焼室先端寄りの位置に、燃焼ガスを希釈してガス組成またはガス組成とガス温度を調整する希釈ガスを燃焼室内に供給するためのガスノズルが設けられた燃焼バーナを用いることを特徴とする請求項１〜８のいずれかに記載の燃焼バーナによる低発熱量ガスの燃焼方法。
【手続補正２】
【補正対象書類名】明細書
【補正対象項目名】発明の名称
【補正方法】変更
【補正の内容】
【発明の名称】燃焼バーナによる低発熱量ガスの燃焼方法
【手続補正３】
【補正対象書類名】明細書
【補正対象項目名】００１５
【補正方法】変更
【補正の内容】
【００１５】
［1］先端が開放された管状の燃焼室の内壁面に、燃焼室内でガス旋回流が生じるように燃料ガスと支燃ガスを各々吹き込むための若しくは燃料ガスと支燃ガスの予混合ガスを吹き込むための開口を形成した燃焼バーナにおいて、発熱量が１０００ｋcal／Ｎｍ３以下のガスを燃料ガスとして用いる際に、燃焼室に吹き込まれる前の燃料ガスまたは／および燃焼室に吹き込まれた燃料ガスに水素を加える（但し、水素含有ガスとして加える場合を含む）とともに、燃焼室内に、ＣＯ、Ｈ２の１種以上を含むガスであって、燃焼ガスを希釈してガス組成またはガス組成とガス温度を調整する希釈ガスを供給することを特徴とする燃焼バーナによる低発熱量ガスの燃焼方法。
［2］先端が開放された管状の燃焼室の内壁面に、燃焼室内でガス旋回流が生じるように該内壁面のほぼ接線方向に燃料ガスと支燃ガスを各々吹き込むための若しくは燃料ガスと支燃ガスの予混合ガスを吹き込むための開口を形成した燃焼バーナにおいて、発熱量が１０００ｋcal／Ｎｍ３以下のガスを燃料ガスとして用いる際に、燃焼室に吹き込まれる前の燃料ガスまたは／および燃焼室に吹き込まれた燃料ガスに水素を加える（但し、水素含有ガスとして加える場合を含む）とともに、燃焼室内に、ＣＯ、Ｈ２の１種以上を含むガスであって、燃焼ガスを希釈してガス組成またはガス組成とガス温度を調整する希釈ガスを供給することを特徴とする燃焼バーナによる低発熱量ガスの燃焼方法。
【手続補正４】
【補正対象書類名】明細書
【補正対象項目名】００１６
【補正方法】変更
【補正の内容】
【００１６】
［3］上記［1］または［2］の燃焼方法において、ＣＯを含有する燃料ガスに、断熱火炎温度が７５０℃以上となるように水素を加える（但し、水素含有ガスとして加える場合を含む）ことを特徴とする燃焼バーナによる低発熱量ガスの燃焼方法。
［4］上記［1］〜［3］のいずれかの燃焼方法において、燃焼室の内壁面に形成された開口を通じて燃焼室内に燃料ガスと支燃ガスを各々供給するためのガスノズル若しくは燃料ガスと支燃ガスの予混合ガスを供給するためのガスノズルが、バーナ軸方向で並列した複数のノズル管で構成された燃焼バーナを用いることを特徴とする燃焼バーナによる低発熱量ガスの燃焼方法。
［5］上記［1］〜［4］のいずれかの燃焼方法において、燃焼室の内壁面に、さらに、燃焼室内でガス旋回流が生じるようにガスを吹き込むための他の開口を形成した燃焼バーナを用い、前記開口から燃焼室内に水素を吹き込む（但し、水素含有ガスとして吹き込む場合を含む）ことを特徴とする燃焼バーナによる低発熱量ガスの燃焼方法。
【手続補正５】
【補正対象書類名】明細書
【補正対象項目名】００１７
【補正方法】変更
【補正の内容】
【００１７】
［6］上記［1］〜［4］のいずれかの燃焼方法において、燃焼室の内壁面に、さらに、燃焼室内でガス旋回流が生じるように該内壁面のほぼ接線方向にガスを吹き込むための他の開口を形成した燃焼バーナを用い、前記開口から燃焼室内に水素を吹き込む（但し、水素含有ガスとして吹き込む場合を含む）ことを特徴とする燃焼バーナによる低発熱量ガスの燃焼方法。
［7］上記［5］または［6］の燃焼方法において、燃焼室の内壁面に形成された他の開口を通じて燃焼室内に水素を供給するためのガスノズルが、バーナ軸方向で並列した複数のノズル管で構成された燃焼バーナを用いることを特徴とする燃焼バーナによる低発熱量ガスの燃焼方法。
［8］上記［1］〜［7］のいずれかの燃焼方法において、燃焼室内のガス流のスワール数Ｓwを３〜１０とすることを特徴とする燃焼バーナによる低発熱量ガスの燃焼方法。
［9］上記［1］〜［8］のいずれかの燃焼方法において、燃焼室の後端側の内壁面に、燃焼室内でガス旋回流が生じるように燃料ガスと支燃ガスを各々吹き込むための開口が形成され、該開口よりも燃焼室先端寄りの位置であって且つ燃焼室長手方向の中央位置よりも燃焼室先端寄りの位置に、燃焼ガスを希釈してガス組成またはガス組成とガス温度を調整する希釈ガスを燃焼室内に供給するためのガスノズルが設けられた燃焼バーナを用いることを特徴とする燃焼バーナによる低発熱量ガスの燃焼方法。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】